(57)【要約】      （修正有）【課題】中間スプライス部での防水性能を高めることができる被覆電線の中間スプライス部防水構造を提供する。【解決手段】絶縁被覆材１８の中間部で皮剥ぎされ導線１４が露出した第１の被覆電線１０と、絶縁被覆材２０の端部または中間部が皮剥ぎされ導線１６が露出し、導線露出部が第１の被覆電線１０の導線露出部と電気的に連結された第２の被覆電線１２と、第１の被覆電線１０と第２の被覆電線１２の導線露出部同士の連結部である中間スプライス部２４を起毛形成面３０の内部に位置する状態に包んでいる面状ファスナ３４よりなる保護シート２６と、中間スプライス部２４を囲繞して保護シート２６に塗布され、吸湿して固化してなる止水材４２と、を備えている。【選択図】図３
2017079544.tif 000002
【特許請求の範囲】
【請求項１】
絶縁被覆材の中間部で皮剥ぎされ導線が露出した第１の被覆電線と、
絶縁被覆材の端部または中間部が皮剥ぎされ導線が露出し、導線露出部が前記第１の被覆電線の導線露出部と電気的に連結された第２の被覆電線と、
前記第１の被覆電線と前記第２の被覆電線の前記導線露出部同士の連結部である中間スプライス部を起毛形成面の内部に位置する状態に包んでいる面状ファスナよりなる保護シートと、
吸湿固化性を有する止水剤が前記中間スプライス部を囲繞して前記保護シートに塗布され、吸湿して固化してなる止水材と、
を備えたことを特徴とする被覆電線の中間スプライス部防水構造。
【請求項２】
前記面状ファスナは、前記保護シートの前記起毛形成面が雄型の起毛と雌型の起毛とが混在している面状ファスナであることを特徴とする請求項１に記載の被覆電線の中間スプライス部防水構造。
【発明の詳細な説明】
【技術分野】
【０００１】
本発明は、被覆電線における中間スプライス部の防水構造に関する。
【背景技術】
【０００２】
被覆電線の中間スプライス部は、被覆電線の中間部で絶縁被覆材が皮剥ぎされ露出した導線と、他の被覆電線の端部または中間部で絶縁被覆材が皮剥ぎされ露出した導線との電気的な連結部である。従来、中間スプライス部における導線露出部および絶縁被覆材の端部に対して様々な防水対策が施されている（例えば、特許文献１参照）。
【０００３】
特許文献１には、図７に示すように、電線１２２の中間スプライス部１２０に止水剤１４０を供給し、保護シート１３０で中間スプライス部１２０に供給された止水剤１４０を覆い、止水剤１４０の表面の変形に追随して保護シート１３０を変形させることにより止水剤１４０の表面と保護シート１３０とを密着させた状態に維持しつつ、止水剤１４０を固化させることにより製造された電線１２２の止水中間スプライス部が開示されている。また、止水剤１４０として湿気固化性の光固化性樹脂が用いられることも開示されている。
【先行技術文献】
【特許文献】
【０００４】
【特許文献１】特開２０１２−８０６３３号公報、図１〜図７、段落０００８、００１２
【発明の概要】
【発明が解決しようとする課題】
【０００５】
しかしながら、特許文献１に記載の技術にあっては、光が届かないところの止水剤は固化しないことに加えて、止水剤の表面と保護シートとが密着した状態にあるので、空気中の水分が止水剤に十分に供給されず、固化されずにゾル・ケル状態で残ったままになる場合があった。そのため、中間スプライス部での防水性能が十分に確保されないという問題があった。
【０００６】
本発明は、上述のような課題を解決するためになされたものであり、中間スプライス部での防水性能を高めることができる被覆電線の中間スプライス部防水構造を提供することを目的とする。
【課題を解決するための手段】
【０００７】
本発明に係る被覆電線の中間スプライス部防水構造は、上記目的を達成するため、絶縁被覆材の中間部で皮剥ぎされ導線が露出した第１の被覆電線と、絶縁被覆材の端部または中間部が皮剥ぎされ導線が露出し、導線露出部が前記第１の被覆電線の導線露出部と電気的に連結された第２の被覆電線と、前記第１の被覆電線と前記第２の被覆電線の前記導線露出部同士の連結部である中間スプライス部を起毛形成面の内部に位置する状態に包んでいる面状ファスナよりなる保護シートと、吸湿固化性を有する止水剤が前記中間スプライス部を囲繞して前記保護シートに塗布され、吸湿して固化してなる止水材と、を備えて構成されている。
【０００８】
この構成により、本発明に係る被覆電線の中間スプライス部防水構造は、面状ファスナよりなる保護シートが、中間スプライス部を起毛形成面の内部に位置する状態に包んでいるので、中間スプライス部を囲繞して保護シートに塗布された状態の吸湿固化性の止水剤が、保護シートによって密封されることなく、保護シートの端部より起毛間の隙間を通流する水分を含んだ空気が導線露出部から被覆材の内部に浸透している止水剤に到達し、水分を止水剤に必要十分に供給することができる。これにより、吸湿固化性の止水剤が未固化の状態で残ることなく、確実に吸湿して固化させることができるので、防水性能が向上する。
【０００９】
また、本発明に係る被覆電線の中間スプライス部防水構造において、前記面状ファスナは、前記保護シートの前記起毛形成面が雄型の起毛と雌型の起毛とが混在している面状ファスナとすることができる。
【００１０】
この構成により、本発明に係る被覆電線の中間スプライス部防水構造は、面状ファスナよりなる保護シートが、中間スプライス部を起毛形成面の内部に位置する状態に包んでいる状態で、相対する起毛形成面の雄型の起毛と雌型の起毛とが係合することで、粘着テープや接着剤を用いることなく、保護シートが中間スプライス部を包んだ状態を保持することができる。
【発明の効果】
【００１１】
本発明によれば、中間スプライス部での防水性能を高めることができる被覆電線の中間スプライス部防水構造を提供することができる。
【図面の簡単な説明】
【００１２】
【図１】本発明の一実施形態に係り、中間スプライス部を有する被覆電線の斜視図である。
【図２】本発明の一実施形態に係る被覆電線の中間スプライス部防水構造の製造方法を示し、図２（ａ）は保護シートの上に中間スプライス部を配置した状態を示す平面図であり、図２（ｂ）はその右端面図である。
【図３】本発明の一実施形態に係る被覆電線の中間スプライス部防水構造の製造方法を示し、図３（ａ）は中間スプライス部に止水剤を供給した状態を示す平面図であり、図３（ｂ）はその右端面図である。
【図４】本発明の一実施形態に係る被覆電線の中間スプライス部防水構造の製造方法を示し、図４（ａ）は中間スプライス部を保護シートで包んだ状態を示す平面図であり、図４（ｂ）はその右端面図である。
【図５】本発明の一実施形態に係る被覆電線の中間スプライス部防水構造の作用を説明するものであり、図５（ａ）は平面説明図であり、図５（ｂ）はその右端面説明図である。
【図６】本発明の一実施形態に係る保護シートの側面図である。
【図７】従来技術に係り、特許文献１に記載の電線の止水中間スプライス部を示す斜視図である。
【発明を実施するための形態】
【００１３】
以下、本発明に係る被覆電線の中間スプライス部防水構造の実施の形態について、図面を参照して説明する。
【００１４】
まず、図１〜図４を参照して本実施形態の構成について説明する。
本実施形態に係る被覆電線の中間スプライス部防水構造１は、絶縁被覆材１８の中間部で皮剥ぎされ導線１４が露出した第１の被覆電線１０と、絶縁被覆材２０の端部または中間部が皮剥ぎされ導線１６が露出し、導線露出部が第１の被覆電線１０の導線露出部と電気的に連結された第２の被覆電線１２と、第１の被覆電線１０と第２の被覆電線１２の導線露出部同士の連結部である中間スプライス部２４を起毛形成面３０の内部に位置する状態に包んでいる面状ファスナ３４、３６よりなる保護シート２６と、吸湿固化性を有する止水剤４２が中間スプライス部２４を囲繞して保護シート２６に塗布され、吸湿して固化してなる止水材４４と、を備えている。
【００１５】
第１および第２の被覆電線１０、１２は、それぞれ、径が小さい銅線の束である導線１４、１６と、導線１４、１６を被覆するポリ塩化ビニル（ＰＶＣ）などよりなる絶縁被覆材１８、２０と、を有している。なお、導線１４、１６は、それぞれ、径が大きい１本の銅線等であってもよい。また、導線１４、１６は、アルミニウム線であってもよい。
【００１６】
第１の被覆電線１０は、図１に示すように、中間部において絶縁被覆材１８が剥ぎ取られ、導線１４が露出している。第２の被覆電線１２は、図１に示すように、その端部において絶縁被覆材２０が剥ぎ取られ、導線１６が露出している。しかし、第２の被覆電線１２は、これに限定されず、中間部において絶縁被覆材２０を剥ぎ取って導線１６を露出させるようにしてもよい。中間スプライス部２４は、第１の被覆電線１０の中間部にて露出した導線１４と、第２の被覆電線１２の露出した導線１６とが電気的に連結された連結部である。
【００１７】
また、図１では中間スプライス部２４が２本の被覆電線１０、１２により構成されているが、これに限定されず、３本以上でもよい。露出した導線１４、１６同士の連結は、抵抗溶接、超音波溶接、レーザ溶接等により、または、中間圧着端子を圧着すること等により行うことができる。図１では、中間圧着端子などの連結部材２２により、露出した導線１４、１６同士を連結している。
【００１８】
保護シート２６は、矩形または長矩形のシートであり、その長手方向の長さは、中間スプライス部２４における第１の被覆電線１０の露出した導体１４の長さより所要長だけ長くし、皮剥ぎされた絶縁被覆材１８の端部を含めて覆うことができる長さであり、長手方向に垂直な幅方向の長さは、少なくとも中間スプライス部２４を完全に包むことができるだけの長さを有している。しかし、保護シート２６の形状はこれに限定されるものではなく、台形、多角形、円形等、任意の形状とすることができる。
【００１９】
保護シート２６は、例えば、ポリ塩化ビニル（ＰＶＣ）、ポリプロピレン（ＰＰ）又はポリアミド（ＰＡ）などの合成樹脂製のシート基材２８の片面または両面の全体に起毛が密に一体形成された片面タイプまたは両面タイプの面状ファスナ３４、３６よりなる。起毛が形成されている面を起毛形成面３０という。本実施形態では、図２〜図４に示すように、シート基材２８の両面に起毛が形成された両面タイプの面状ファスナ３４、３６が用いられている。
【００２０】
具体的には、本実施形態に係る保護シート２６は、図６（ａ）に示すように、シート基材２８の一方の面（起毛形成面３０）に雌型の起毛４０が形成され、他方の面（起毛形成面３２）に雄型の起毛３８が形成されている。このような両面タイプの面状ファスナよりなる保護シート２６ａを寿司巻き状に巻き付けると、雄型の面状ファスナと雌型の面状ファスナとが相対して重なり、雄型の起毛３８と雌型の起毛４０とが係合することで保護シート２６ａを巻き付け状態で固定することができる。
【００２１】
ここで、雄型の起毛３８は、例えば、先端部が曲がったＪ字形状、または、棒状部分の先端部に環状突出部が形成された形状（いわゆるキノコ形状等）のフック部を有している。雌型の起毛４０は、例えば、雄型の起毛３８のフック部に着脱自在に係止可能なループ部を有している。
【００２２】
保護シート２６の面状ファスナは、両面タイプの面状ファスナに限定されず、図６（ｂ）に示すように、保護シート２６ｂの起毛形成面３０が雄型の起毛３８と雌型の起毛４０とが混在している面状ファスナであってもよい。この場合には、保護シート２６ｂの起毛形成面３０を内側にして二つ折りにした状態で、雄型の起毛３８と雌型の起毛とを係合させることにより保護シート２６ｂを二つ折り状態で固定することができる。
【００２３】
また、図６（ｃ）に示すように、片面のみに雌型の起毛４０が形成されたような片面タイプの雌型面状ファスナを保護シート２６ｃとして用いてもよく、あるいは、図６（ｄ）に示すように、片面のみに雄型の起毛３８が形成されたような片面タイプの雄型面状ファスナを保護シート２６ｄとして用いてもよい。
【００２４】
保護シート２６は、中間スプライス部２４を起毛形成面３０の内部に位置する状態に包んでいる。本実施形態では、図４（ｂ）に示すように、保護シート２６の起毛形成面３０を内側にして二つ折りにし、その間に中間スプライス部２４を挟み込むことで、中間スプライス部２４を保護シート２６で包んでいる。二つ折りの状態からさらに保護シート２６を寿司巻き状に巻き付けてもよい。すなわち、中間スプライス部２４を起毛形成面３０の内部に位置する状態に包むようにする限り、どのような包み方でもよい。
【００２５】
また、中間スプライス部２４が保護シート２６により包まれた状態で、例えば、粘着テープによるテープ巻き、接着剤等の任意の固定手段によって保護シート２６をその両端部等で固定してもよい。
【００２６】
また、保護シート２６の一方の面が雄型の面状ファスナで、他方の面が雌型の面状ファスナになっている場合に、保護シート２６のどちらか一方の起毛形成面３０を内側にして二つ折りにする際に、両端部をぴったり合わせず、所定長だけずらすようにし、その状態からさらに保護シート２６を寿司巻き状に巻き付けた上で、ずらした部分の面状ファスナと巻き付けてある方の面状ファスナとを重ね合わせ、その接着力により固定するようにしてもよい。
【００２７】
止水材４４は、吸湿固化性を有する止水剤４２が中間スプライス部２４を囲繞して保護シート２６に塗布され、吸湿して固化してなるものである。この止水剤４２は、固化する前の或る程度粘性をもった液状にて、中間スプライス部２４において皮剥ぎされ露出した導線１４、１６や、皮剥ぎ後の絶縁被覆材１８、２０の端部等に行き渡るように供給されている。止水材４４は止水剤４２が水分を吸収することにより固化したものである。
【００２８】
止水剤４２としては、上記のような流動性、粘性を有する液状で塗布した状態で固化可能な各種吸湿固化性の樹脂を用いることができる。止水剤４２は、例えば、シリコン系、アクリル系、ウレタン系、ポリアミド系又はエポキシ系の吸湿固化性合成樹脂である。止水剤４２として用いる吸湿固化性合成樹脂は、例えば、湿度６５％以上で固化するものが使用できる。
【００２９】
次に、本実施形態に係る中間スプライス部防水構造１の製造方法を説明する。
まず、中間スプライス部２４を有する被覆電線１０、１２を用意し（図１）、中間スプライス部２４を保護シート２６の起毛形成面３０のほぼ中央に載置する（図２）。次いで、液状の止水剤４２を中間スプライス部２４に所要量だけ供給し（図３）、中間スプライス部２４を起毛形成面３０の内部に位置する状態に保護シート２６で包むようにして巻き付け（図４）、その状態で粘着テープのテープ巻き等により保護シート２６を両端部で部分的に固定する。その後、保護シート２６の側端部から供給される空気中に含まれる水分を、止水剤４２に吸収、固化させて止水材４４とすることで、被覆電線の中間スプライス部防水構造１の製造が完了する（図５）。
【００３０】
次に、作用・効果について説明する。
図４に示すように、本実施の形態に係る被覆電線の中間スプライス部防水構造１は、面状ファスナ３４、３６よりなる保護シート２６が、中間スプライス部２４を起毛形成面３０の内部に位置する状態に包んでいる。この構成により、中間スプライス部２４を囲繞して保護シート２６に塗布された状態の吸湿固化性の止水剤４２が、保護シート２６によって密封されることなく、保護シート２６の端部より起毛間の隙間を通流する水分を含んだ空気が導線露出部から被覆材１８、２０の内部に浸透している止水剤４２に到達し、水分を止水剤４２に必要十分に供給することができる。具体的には、図５に示すように、止水剤４２に水分を含んだ空気を矢印Ａ１、Ａ２、及びＡ３で示す方向から供給することができる。これにより、吸湿固化性の止水剤４２が未固化の状態で残ることなく、確実に吸湿して固化させることができるので、防水性能が向上する。
【００３１】
また、本実施の形態に係る中間スプライス部防水構造１では、面状ファスナは、保護シート２６の起毛形成面３０が雄型の起毛３８と雌型の起毛４０とが混在している面状ファスナである。この構成により、面状ファスナよりなる保護シート２６が、中間スプライス部２４を起毛形成面３０の内部に位置する状態に包んでいる状態で、相対する起毛形成面３０、３０の雄型の起毛３８と雌型の起毛４０とが係合することで、粘着テープや接着剤を用いることなく、保護シート２６が中間スプライス部２４を包んだ状態を保持することができる。
【００３２】
本発明に係る被覆電線の中間スプライス部防水構造は、中間スプライス部での防水性能を高めることができるという効果を有し、ワイヤハーネスを構成する被覆電線の中間スプライス部防水構造の全般に有用である。
【符号の説明】
【００３３】
１  中間スプライス部防水構造
１０  第１の被覆電線
１２  第２の被覆電線
１４、１６  導線
１８、２０  絶縁被覆材
２２  連結部材
２４  中間スプライス部
２６  保護シート
２８  シート基材
３０、３２  起毛形成面
３４、３６  面状ファスナ
３８  雄型の起毛
４０  雌型の起毛
４２  止水剤
４４  止水材
【図１】
2017079544.tif 000003
【図２】
2017079544.tif 000004
【図３】
2017079544.tif 000005
【図４】
2017079544.tif 000006
【図５】
2017079544.tif 000007
【図６】
2017079544.tif 000008
【図７】
2017079544.tif 000009